(57)【要約】【課題】車両の重量が増大するのを防止しつつ、簡単な構成で車両用部材を効率よく配設できるようにする。【解決手段】車室の底面を形成するフロアパネル２の上方に少なくとも運転席シートと助手席シート４とが車幅方向に並設された車両において、運転席シートの下方には、運転席シートを車両の前後方向に移動可能に支持するシートレールがフロアパネル上に設置されるとともに、助手席シート４の下方には、上記シートレールにより支持された運転席シートの最前方位置よりも後方側部位において助手席シート４を支持する助手席支持部（第１フロアパネル側部８）が設けられ、かつ助手席シート４の前方には、車両用部材（車載バッテリ４０）が配設された。【選択図】図９
2011088503.tif 000002
【特許請求の範囲】
【請求項１】
車室の底面を形成するフロアパネルの上方に少なくとも運転席シートと助手席シートとが車幅方向に並設された車両において、運転席シートの下方には、運転席シートを車両の前後方向に移動可能に支持するシートレールがフロアパネル上に設置されるとともに、助手席シートの下方には、上記シートレールにより支持された運転席シートの最前方位置よりも後方側部位において助手席シートを支持する助手席支持部が設けられ、かつ助手席シートの前方には、車両用部材が配設されたことを特徴とする車両用部材の配設構造。
【請求項２】
助手席シートが、上記シートレールにより前後移動可能に支持された運転席シートの最後方部位に対応した位置に固定されたことを特徴とする請求項１に記載の車両用部材の配設構造。
【請求項３】
助手席シートの前方には、車幅方向に延びるインストルメントパネルが配設され、このインストルメントパネルの下方に上記車両用部材の収納空間が設けられたことを特徴とする請求項１または２に記載の車両用部材の配設構造。
【請求項４】
上記車両用部材が前後移動可能に支持されたことを特徴とする請求項３に記載の車両用部材の配設構造。
【請求項５】
助手席シートの前方には、車載バッテリまたはハイブリッド車両用コンバータからなる車両用部材が配設されたことを特徴とする請求項１〜４の何れか１項に記載の車両用部材の配設構造。
【請求項６】
助手席シートの前方に位置するフロアパネル上には、足元グローブボックスからなる車両用部材が配設されたことを特徴とする請求項１〜５の何れか１項に記載の車両用部材の配設構造。
【請求項７】
助手席シートの前方に位置するフロアパネル上には、車室内側に膨出するとともに車幅方向に延びるクロスメンバからなる車両用部材が配設されたことを特徴とする請求項１〜６の何れか１項に記載の車両用部材の配設構造。
【発明の詳細な説明】
【技術分野】
【０００１】
本発明は、車室の底面を形成するフロアパネルの上方に少なくとも運転席シートと助手席シートとが車幅方向に並設された車両における車両用部材の配設構造に関するものである。
【背景技術】
【０００２】
従来、下記特許文献１に示されるように、左右の車体側壁を構成するサイドパネルと、左右のサイドパネル間に配設されるとともにこれらサイドパネル同士を連結して車両床面を形成するフロアパネルとを備えた車体に、そのフロアパネルの上側において左右のサイドパネル同士を連結する車幅方向に長いクロスバーと、車両の座席後部側に配設されるロールバーとを予め連結してロールバーユニットを組み付けるように構成した車両用ロールバーの組付構造において、上記ロールバーユニットのロールバーの下端部をフロアパネルに対して少なくとも車幅方向に位置決めするとともに上下方向から締結固定する一対のロールバー位置決め固定機構と、上記ロールバーユニットのクロスバーの車幅方向両端部を左右のサイドパネルに対してそれぞれ前後方向から締結固定する一対のクロスバー固定機構とを設けた構造が知られている。
【０００３】
また、下記特許文献２に示されるように、車体の両側面を構成する一対のサイドパネルと、これらのサイドパネルに設けられ開放型屋根を回動自在に支持するリンクブラケットを備えた車両のロールバー構造において、上方に延びるロールバーと、このロールバーに結合されて車幅方向に延びるクロスバーと、上記ロールバーとリンクブラケットとを連結する連結部材とを有し、上記クロスバーを、ロールバーとともに上記連結部材に結合することが行われている。
【先行技術文献】
【特許文献】
【０００４】
【特許文献１】特開２００６−０２１６０７号公報
【特許文献２】特開２００５−１８６６８８号公報
【発明の概要】
【発明が解決しようとする課題】
【０００５】
上記特許文献１，２に開示されているように、車体の側壁を構成する左右のサイドパネル同士を連結するように車幅方向に延びるクロスバーにロールバーを設けた構造とした場合には、車室上方のルーフ部材が開閉可能に構成されたオープンカーにおいて、車両の横転時等に乗員を上記ロールバーによって効果的に保護できるという利点がある。この反面、運転席シートおよび助手席シートの後方において車幅方向に延びるように頑強な部材からなるクロスバーを設置するとともに、このクロスバーから上記運転席シートおよび助手席シートよりも上方に向けて左右一対のロールバーを突出させる必要があるため、構造が複雑になって車体重量が増大することが避けられない。また、上記オープンカーからなるスポーツカー等においては、車体をコンパクト化することが特に望まれるため、車載補機等からなる車両用部材の設置スペースを確保することが困難であった。
【０００６】
本発明は、上記の問題点に鑑みてなされたものであり、車両の重量が増大するのを防止しつつ、簡単な構成で車両用部材を効率よく配設できる車両用部材の配設構造を提供することを目的としている。
【課題を解決するための手段】
【０００７】
請求項１に係る発明は、車室の底面を形成するフロアパネルの上方に少なくとも運転席シートと助手席シートとが車幅方向に並設された車両において、運転席シートの下方には、運転席シートを車両の前後方向に移動可能に支持するシートレールがフロアパネル上に設置されるとともに、助手席シートの下方には、上記シートレールにより支持された運転席シートの最前方位置よりも後方側部位において助手席シートを支持する助手席支持部が設けられ、かつ助手席シートの前方には、車両用部材が配設されたものである。
【０００８】
請求項２に係る発明は、上記請求項１に記載の車両用部材の配設構造において、助手席シートが、上記シートレールにより前後移動可能に支持された運転席シートの最後方部位に対応した位置に固定されたものである。
【０００９】
請求項３に係る発明は、上記請求項１または２に記載の車両用部材の配設構造において、助手席シートの前方には、車幅方向に延びるインストルメントパネルが配設され、このインストルメントパネルの下方に上記車両用部材の収納空間が設けられたものである。
【００１０】
請求項４に係る発明は、上記請求項３に記載の車両用部材の配設構造において、上記車載バッテリまたはハイブリッド車両用コンバータからなる車両用部材が前後移動可能に支持されたものである。
【００１１】
請求項５に係る発明は、上記請求項１〜４の何れか１項に記載の車両用部材の配設構造において、助手席シートの前方には、車載バッテリまたはハイブリッド車両用コンバータからなる車両用部材が配設されたものである。
【００１２】
請求項６に係る発明は、上記請求項１〜５の何れか１項に記載の車両用部材の配設構造において、助手席シートの前方に位置するフロアパネル上には、足元グローブボックスからなる車両用部材が配設されたものである。
【００１３】
請求項７に係る発明は、上記請求項１〜６の何れか１項に記載の車両用部材の配設構造において、助手席シートの前方に位置するフロアパネル上には、車室内側に膨出するとともに車幅方向に延びるクロスメンバからなる車両用部材が配設されたものである。
【発明の効果】
【００１４】
請求項１に係る発明では、助手席シートの下方に運転席シートの最前方位置よりも後方側部位において助手席シートを支持する助手席支持部を設けるとともに、助手席シートの前方に車両用部材を配設したため、車両の重量が増大するのを防止しつつ、上記助手席シートの前方部を利用して車両用部材を効率よく配設できるという利点がある。
【００１５】
請求項２に係る発明では、助手席シートを運転席シートの最後方部位に対応した位置に固定したため、この助手席シート用のシートレールを省略してその分だけ車体を軽量化することができるとともに、材料費を節約して製造コストを安価に抑制することができ、かつ助手席シートの前方側に設けられるスペースを最大限に広くすることにより、助手席シートに着座した乗員の居住性を向上させる効果と、助手席シートの前方に上記車両用部材の配設スペースを充分に確保する効果とを両立させることができる。
【００１６】
請求項３に係る発明では、助手席シートの前方に配設されたインストルメントパネルの下方に車両用部材の収納空間を設けため、この車両用部材が上記助手席シートに着座した乗員の邪魔になることを効果的に防止しつつ、上記インストルメントパネルの下方に形成される空間を有効に利用して上記車両用部材を効率よく配設できるという利点がある。
【００１７】
請求項４に係る発明では、上記車両用部材を前後移動可能に支持したため、インストルメントパネルの下方に設けられた収納空間内に格納された車両用部材を助手席シートの前方側へ引き出した状態で、この車両用部材の保守、点検等を容易に行うことかできる。
【００１８】
請求項５に係る発明では、近年、大型化する傾向のある車載バッテリまたはハイブリッド車両用コンバータからなる車両用部材を、運転席シートの最前方位置よりも後方側部位において支持された助手席シートの前方に配設したため、大型の車載バッテリまたはハイブリッド車両用コンバータ等を効率よく配設することができる。
【００１９】
請求項６に係る発明では、助手席シートの前方に設けられた足元グローブボックスからなる車両用部材を利用して物品等を効率よく収容できるという利点がある。
【００２０】
請求項７に係る発明では、助手席シートの前方スペースを有効に利用して所定の大きさを有するクロスメンバを設置することにより、車両の走行時に作用する捩り荷重等に対する車体の剛性を効果的に向上できるという利点がある。
【図面の簡単な説明】
【００２１】
【図１】本発明に係る車両用部材の配設構造を備えた車両の概略構成を示す平面図である。
【図２】運転席シートおよび助手席シートの設置状態を示す正面断面図である。
【図３】運転席シートの設置状態を示す側面断面図である。
【図４】助手席シートの設置状態を示す側面断面図である。
【図５】本発明に係る車両用部材の配設構造を備えた車両の概略構成を示す側面図である。
【図６】運転席シートを前方に移動させた状態を示す平面図である。
【図７】助手席シートのシートバックフレームの具体的構成を示す斜視図である。
【図８】ルーフ部材の係止部材の具体的構成を示す側面断面図である。
【図９】本発明に係る車両用部材の配設構造の実施形態を示す側面断面図である。
【図１０】車載バッテリの配設構造を示す分解斜視図である。
【図１１】本発明に係る車両用部材の配設構造の別の実施形態を示す図９相当図である。
【図１２】本発明に係る車両用部材の配設構造のさらに別の実施形態を示す図９相当図である。
【図１３】助手席シートの設置状態を別の例を示す図４相当図である。
【図１４】上記実施形態における助手席シートの設置状態を示す背面図である。
【図１５】助手席シートの設置状態をさらに別の例を示す図２相当図である。
【図１６】助手席シートの設置状態をさらに別の例を示す図４相当図である。
【発明を実施するための形態】
【００２２】
図１〜図７は、本発明に係る車両用部材の配設構造の実施形態を示している。本実施形態に係る車両は、その車室１内のフロアパネル２上に運転席シート３および助手席シート４が左右に並設されるとともに、車室上方のルーフ部材１０が開閉可能に構成されたツーシータタイプのオープンカーである。上記フロアパネル２の左右両側方部には、車両の前後方向に延びる左右一対のサイドシル５が配設されるとともに、上記フロアパネル２の車幅方向中央部には、車室内側（上方）に向けて突出するトンネル部６が車両の前後方向に延びるように設置されている。
【００２３】
上記車室１内には、フロアパネル２の後方部を、その前方側部分よりも上方に位置させるように段上げした第１，第２フロアパネル側部７，８が形成され、その側端部が上記トンネル部６の車幅方向両側辺部に接続されている。本実施形態では、車両の左側に位置する運転席シート３の下方に配設された第１フロアパネル側部７上に、運転席シート３を移動可能に支持するシートレール９が車両の前後方向に延びるように設置されている。また、車両の右側に位置する助手席シート４は、上記第１フロアパネル側部７よりも上方に段上げされた第２フロアパネル側部８上に固定されている。
【００２４】
すなわち、上記助手席シート４が固定される第２フロアパネル側部８は、上記運転席シート３を支持するシートレール９の上下寸法等に対応して、上方への段上げ量が上記第１フロアパネル側部７よりも大きく設定されることにより、上記第２フロアパネル側部８が第１フロアパネル側部７よりも高い位置に配設されている。そして、上記段上げ部を構成する第２フロアパネル側部８により、車室内１の後方部において上記助手席シート４をフロアパネル２に固定する助手席支持部が構成されている。
【００２５】
上記第２フロアパネル側部８からなる段上げ部の前部下面には、この第２フロアパネル側部８との間で閉断面を形成するクロスメンバ１１が車幅方向に延びるように設けられるとともに、その車幅方向の内側端部が上記トンネル部６に接続されている。また、上記第１フロアパネル側部７および第２フロアパネル側部８の後端部には、上方にキックアップしたキックアップ部１２と、その上端部から車両の後方側に延びるリヤフロアパネル１３とが連設されている。このリヤフロアパネル１３の上方には、開放状態となったルーフ部材１０の格納部１４が設けられている（図５参照）。さらに、上記リヤフロアパネル１３の前部下面には、車幅方向に延びる閉断面を形成するリヤクロスメンバ１５が配設されている。
【００２６】
上記ルーフ部材１０は、リンク機構（図示せず）により連結された鋼板材またはプラスチックパネル等からなるルーフパネル１０ａと、その後方側に配設されたミッドルーフ１０ｂと、その後端部から斜め下方に向けて設置されたリヤウインド１０ｃとを有している。そして、上記格納部１４の後部上面に設けられたリヤデッキ１６を開放位置に退避させた状態で、図略の開閉駆動部により上記リンク機構を駆動して、ルーフパネル１０ａ、ミッドルーフ１０ｂおよびリヤウインド１０ｃからなるルーフ部材１０をそれぞれ所定の軌跡で揺動変位させることにより、図５の実線で示す使用位置（閉止位置）と図５の仮想線で示す格納位置（開放位置）とに変位させるように構成されている。
【００２７】
上記運転席シート３は、図３に示すように、車室１内の第１フロアパネル側部７上に設置された上記シートレール９に沿って車両の前後方向にスライド可能に支持されたシートクッション１７と、その後端部に立設されたシートバック１８と、上記シートクッション１７の後端部側面に取り付けられてシートバック１８を傾動可能に支持するリクライニング機構１９とを備えている。
【００２８】
そして、上記シートレール９に沿って運転席シート３のシートクッション１７をスライド変位させることにより、図６に示すように、運転席シート３を、ステアリングホイール２０およびインストルメントパネル２１に近接させた最前方位置から、図１および図３に示すように、上記フロアパネル２のキックアップ部１２に運転席シート３を近接させた最後方部位まで前後移動させることにより、運転席シート３に着座した運転者の着座位置を、その体格等に応じて調整できるように構成されている。
【００２９】
一方、助手席シート４は、図４に示すように、上記第２フロアパネル側部８上に載置されて固定されたシートクッション２２と、このシートクッション２２の後方部から上方に立設されたシートバック２３と有している。そして、上記助手席シート４の固定位置は、上記運転席シート３の最前方位置よりも後方側、具体的には、上記シートレール９により前後移動可能に支持された運転席シート３の最後方部位に対応した車室１の後方部位に設定されている。このように助手席シート４のシートクッション２２およびシートバック２３が、上記フロアパネル２の後端部に設けられたキックアップ部１２に近接した位置に支持されることにより、上記シートクッション２２の前後移動が規制されるとともに、上記シートバック２３の傾動変位が規制された状態で、上記シートレール９により前後移動可能に支持された運転席シート３の最前方位置よりも後方側において、上記助手席シート４が車体に固定されている。
【００３０】
上記助手席シート４のシートバック２３には、丸パイプ材等からなるシートバックフレーム２４が配設されている。このシートバックフレーム２４は、図７に示すように、シートバック２３の上辺部に沿って車幅方向に延びる上方部材２５と、その車幅方向の外側端部から下方に延びる側方部材２６と、上記上方部材２５を支持する棒状部材２７とを有している。上記シートバックフレーム２４の側方部材２６は、その下端部に設けられた取付ブラケット２８を介して上記第２フロアパネル側部８の後部上面にボルト止めされる等の手段で固定されている。
【００３１】
また、上記シートバックフレーム２４の棒状部材２７は、図２および図７等に示すように、正面視で運転席シート３と助手席シート４との間において上下方向に延びるように設置された縦部材２９と、その上端部から斜めシートバック２３の中央部に向けて斜め下方に延びる斜め部材３０とを有している。上記縦部材２９は、その下端部に設けられた取付ブラケット３１が、上記リヤクロスメンバ１５により補強されたリヤフロアパネル１３の前端部上面にボルト止めされる等の手段で固定されている。さらに、上記取付ブラケット３１が設けられた縦部材２９の下端部前方に位置するキックアップ部１２の中央部には、上記トンネル部６の上面に沿って車両の前後方向に延びるように設置された左右一対のトンネルメンバ３２，３２の後端部が接続されている。
【００３２】
上記斜め部材３０の下部は、助手席シート４のシートバック２３内に導入されてシートバックフレーム２４の上方部材２５に溶接されている。一方、上記上方部材２５は、その車幅方向の内側方部がシートバック２３外に導出されるとともに、その先端部が上記棒状部材２７の縦部材２９の上下方向中間部に溶接されている。そして、上記縦部材２９の上方部分および斜め部材３０からなる棒状部材２７の上部が、助手席シート４の上方に延びるように設置されることにより、助手席シート４に着座した乗員を保護するロールバー部材が構成されている。
【００３３】
さらに、上記棒状部材２７の縦部材２９には、図８に示すように、上記ルーフ部材１０を格納位置に係止する係止部材３３が設けられている。この係止部材３３は、上記ルーフパネル１０ａの前端部上面等を係止してその上下動を規制する係止アーム３４と、この係止アーム３４の下端部に連結された連結ブラケット３５と、この連結ブラケット３５を介して上記係止アーム３４を非係止位置に付勢する圧縮コイルばねからなる付勢部材３６と、上記連結ブラケット３５を介して上記係止アーム３４を係止位置に変位させて拘束する駆動ケーブル３７と、上記縦部材２９の上下方向中間部に固定された支持ブラケット３８とを有している。この支持ブラケット３８には、上記係止アーム３４が支持軸３９を介して揺動可能に支持されている。また、上記駆動ケーブル３７は、図外の操作レバーに連結されている。
【００３４】
そして、操作レバーの係止解除操作に応じ、上記係止アーム３４のロック状態が解除されると、上記付勢部材３６の付勢力に応じて係止アーム３４が、図８の仮想線で示すアンロック位置に駆動されることにより、上記ルーフ部材１０を格納位置から車室上面を覆う使用位置に変位させることが許容される。また、上記ルーフ部材１０が格納部１４に格納された状態で操作レバーにより係止操作が行われると、上記付勢部材３６の付勢力に抗して係止アーム３４がロック位置に保持されることにより、通常時には上記係止アーム３４によりルーフパネル１０ａが係止された状態に維持されるようになっている。
【００３５】
上記助手席シート４の前方には、図９に示すように、バッテリトレイ４１により保持された車載バッテリ４０を収容する収納空間４２が、インストルメントパネル２１の下方に設けられている。このインストルメントパネル２１には、助手席用のグローブボックス４３が設けられるとともに、その前方側には、ブロア４４および熱交換器４５等を有する空調ユニット４６が配設されている。
【００３６】
上記バッテリトレイ４１は、図１０に示すように、車載バッテリ４０の下端部を保持する凹部４７およびドレンホール４８が形成された底板４９と、その後端部に立設された後壁板５０とを有している。この後壁板５０の上辺部には、上記収納空間４２の上方部に設けられた係止部５１に止着されるクリップ５２が取り付けられている。また、上記助手席シート４の前方側に位置するフロアパネル２上には、車室内側（上方）に膨出する突条フレーム５３が車両の前後方向に延びるように設置されるとともに、上記底板４９の下面には、突条フレーム５３に対応した切欠き部５４が形成されている。
【００３７】
そして、上記突条フレーム５３に沿ってバッテリトレイ４１をスライド変位させることにより、図９の実線で示すように、車載バッテリ４０を上記収納空間４２内に収容した状態と、図９の仮想線で示すように、車載バッテリ４０を助手席シート４に近接した保守位置に引き出した状態とに変位させることができるようになっている。上記車載バッテリ４０の収納状態では、バッテリトレイ４１のクリップ５２が上記係止部５１の係合孔に挿入されて止着されることにより、車載バッテリ４０が収納状態に安定して保持される。また、上記車載バッテリ４０の収納状態において、バッテリトレイ４１の後壁板５０を後方に引っ張ることにより上記クリップ５２を係止部５１から離脱させるようにすれば、上記バッテリトレイ４１を突条フレーム５３に沿って車両の後方側にスライド変位させることが可能となる。
【００３８】
上記のように車室の底面を形成するフロアパネル２の上方に運転席シート３と助手席シート４とが車幅方向に並設された車両用部材の配設構造において、運転席シート３の下方に、運転席シート３を車両の前後方向に移動可能に支持するシートレール９をフロアパネル（第１フロアパネル側部７）上に設置するとともに、助手席シート４の下方に、上記シートレール９により支持された運転席シート３の最前方位置よりも後方側部位において助手席シート４を支持する助手席支持部（第２フロアパネル側部８）を設け、かつ助手席シート４の前方に、上記車載バッテリ４０等からなる車両用部材を配設したため、車両の重量が増大するのを防止しつつ、簡単な構成で車両用部材を効率よく配設できるという利点がある。
【００３９】
すなわち、上記実施形態では、助手席シート４を車室１の後方部において固定したため、この助手席シート４用のシートレールを省略してその分だけ車体を軽量化することができるとともに、材料費を節約して製造コストを安価に抑制することができる。しかも、上記助手席シート４をシートレールにより前後移動可能に支持した場合のように、助手席シート４の前後移動させる際に車体との干渉を回避するためにレイアウトを工夫する必要がなく、上記第２フロアパネル側部８の設置スペースを最大限に利用することにより、例えば図５に示すように、シートクッション２２の側部に外方に膨出した膨出部２２ａを形成して、広い着座スペースを確保できる等の利点がある。
【００４０】
また、上記助手席シート４に着座した乗員の前方側に設けられるスペースを広く確保することができるため、小柄な体格の乗員が助手席シート４に着座した場合は勿論のこと、大柄な体格の乗員が助手席シート４に着座した場合においても、その前方側に広いスペースを確保して良好な居住性が得られるという利点がある。そして、上記のように助手席シート４が車室１の後方側に配設されているため、車両の後方部に車両用部材の設置スペースを確保することが困難な車両であっても、助手席シート４の前方に広いスペースを確保することにより、上記車載バッテリ４０等からなる車両用部材を効率よく配設できるという利点がある。
【００４１】
特に、上記実施形態に示すように、シートレール９により前後移動可能に支持された運転席シート３の最後方部位に対応した位置において上記助手席シート４を固定するように構成した場合には、重量物を車両の中心寄りの位置に配設することにより、車両の運転性能を効果的に向上させることができる。また、上記助手席シート４の前方側に設けられるスペースを最大限に広くすることにより、助手席シート４に着座した乗員の居住性を向上させる効果と、助手席シート４の前方に上記車載バッテリ４０等からなる車両用部材の配設スペースを充分に確保する効果とを両立させることができる。
【００４２】
さらに、上記実施形態では、助手席シート４の前方に配設された車幅方向に延びるインストルメントパネル２１の下方に、上記車載バッテリ４０等からなる車両用部材の収納空間４２を設けため、この車両用部材が上記助手席シート４に着座した乗員の邪魔になることを効果的に防止しつつ、上記インストルメントパネル２１の下方に形成される空間を有効に利用して上記車両用部材を効率よく配設できるという利点がある。
【００４３】
また、上記実施形態に示すように、助手席シート４の前方側に位置するフロアパネル２上に設置された突条フレーム５３に沿って上記車載バッテリ４０等からなる車両用部材をスライド変位させる等により前後移動可能に支持した場合には、例えば図９に示すように、上記インストルメントパネル２１の下方に設けられた収納空間４２内に格納された車載バッテリ４０等を助手席シート４の前方側へスムーズに引き出すことができ、車載バッテリ４０等の保守、点検等を容易に行うことかできる。
【００４４】
なお、上記助手席シート４の前方に配設される車両用部材としては、上記車載バッテリ４０以外にも、ハイブリッド車両においてその動力源用主電池の高電圧を低電圧に変換して補機電池を充電するするＤＣ−ＤＣコンバータからなるハイブリッド車両用コンバータ等が考えられる。近年、上記車載バッテリ４０またはハイブリッド車両用コンバータは大型化する傾向があるために、これらを上記のように運転席シート３の最前方位置よりも後方側部位において支持された助手席シート４の前方に配設することにより、上記車載バッテリ４０またはハイブリッド車両用コンバータからなる車両用部材を効率よく配設できるようにすることにより顕著な効果を得ることができる。
【００４５】
また、上記実施形態では、助手席シート４を運転席シート３の最前方位置よりも後方側に支持した車両において、上記助手席シート４に着座した乗員を保護するロールバー部材（棒状部材２７）を助手席シート４の上方に延びるように設置するとともに、その下端部を上記フロアパネル２に固定したため、車室１内において前後移動可能に設置された助手席シートの後方に、頑強な部材からなるクロスバーを設置するとともに、このクロスバーにロールバーを突設した従来例に比べ、構造を簡略して車体重量を効果的に低減できるとともに、上記クロスバーの存在に起因して後部荷室のスペースが狭くなる等の問題を生じることなく、車両の横転時等に助手席シート４に着座した乗員を効果的に保護することができる。
【００４６】
さらに、上記実施形態に示すように、助手席シート４のシートバック２３に、下端部が上記フロアパネル２、具体的には第２フロアパネル側部８に固定されたシートバックフレーム２４を設け、このシートバックフレーム２４に、上記助手席シート４のシートバック２３よりも上方に延びるように配設された上記縦部材２９および斜め部材３０からなる棒状部材２７により助手席シート４用のロールバー部材を構成した場合には、上記シートバックフレーム２４に、助手席シート４のシートバック２３を補強する本来の機能と、助手席シート４をフロアパネル２に固定する固定具としての機能と、上記ロールバー部材としての機能とを兼ね備えさせることができ、これによって助手席シート４の剛性を充分に確保できるとともに、この助手席シート４に着座した乗員を、簡単な構成で適正に保護できるという利点がある。
【００４７】
上記運転席シート３に着座した運転者は、車両の横転時等にステアリングホイール２０を把持しているために、自分の身を守ることが容易であるのに対し、助手席シート４に着座した乗員は、自分の身を守ることが困難である。したがって、上記のように縦部材２９および斜め部材３０からなる棒状部材２７からなるロールバー部材を助手席シート４の上方に延びるように配設することにより、運転席シート３側に比べ、より安全性を向上させることが望まれる助手席シート４に着座した乗員を、簡単な構成で適正に保護できるという利点がある。
【００４８】
しかも、図２および図７等に示すように、正面視で運転席シート３と助手席シート４との間において上下方向に延びるように設置された縦部材２９と、その上端部から斜めシートバック２３の中央部に向けて斜め下方に延びる斜め部材３０とにより、助手席シート４に着座した乗員を保護するロールバー部材を構成した場合には、車室１内の後方部において固定された助手席シート４に上記ロールバー部材を近接させて配設することができるとともに、上記ロールバー部材を運転席シート３の近傍に配設して、この運転席シート３に着座した運転者も効果的に保護することができる。
【００４９】
また、上記実施形態に示すように、助手席シート４のシートバック２３を補強するシートバックフレーム２４の一部をシートバック２３の外方に配設してなる棒状部材２７の縦部材２９に、ルーフ部材１０の開放時に格納部１４内に格納されたルーフパネル１０ａ等からなるルーフ部材１０を格納位置に係止する係止部材３３を設けた場合には、車室後部の側壁パネルに設けられた左右一対の係止部材等により上記ルーフ部材１０を格納位置に係止するように構成した場合に比べ、簡単な構造で上記ルーフ部材１０を格納位置に安定して保持できるという利点がある。
【００５０】
なお、助手席シート４の前方に車載バッテリ４０またはハイブリッド車両用コンバータからなる車両用部材を配設してなる上記実施形態に代え、図１１に示すように、助手席シート４の前方に位置するフロアパネル２に開閉蓋５５を設けることにより、その下方空間を足元グローブボックス５６として利用するように構成してもよい。このように構成した場合には、助手席シート４の前方に設けられた足元グローブボックス５６からなる車両用部材を利用して物品等を効率よく収容できるという利点がある。
【００５１】
また、図１２に示すように、上記助手席シート４の前方に位置するフロアパネル２に、車室内側（上方）に膨出して車幅方向に延びる閉断面を形成するクロスメンバ５７を設置してもよい。このように構成した場合には、助手席シート４の前方スペースを有効に利用して所定の大きさを有するクロスメンバ５７を設置することにより、車両の走行時に作用する捩り荷重等に対する車体の剛性を効果的に向上させることができる。
【００５２】
また、上記実施形態では、助手席シート４のシートバックフレーム２４を構成する側方部材２６の下端部（取付ブラケット２８）を介して上記第２フロアパネル側部８の後部上面に固定した例について説明したが、この構成に限られず、種々の変更が可能である。例えば、図１３および図１４に示すように、助手席シート４のシートバック２３の外側辺部に沿って上下方向に延びるように設置された側方部材２６の下方部を、上記棒状部材２７の縦部材２９と同様に上記シートバック２３の外方（下方に）導出し、リヤクロスメンバ１５により補強されたリヤフロアパネル１３の前端部上面に上記側方部材２６の下端部に設けられた取付ブラケット２８をボルト止めする等により車体に固定した構造としてもよい。
【００５３】
また、正面視で運転席シート３と助手席シート４との間において上下方向に延びるように設置された縦部材２９と、その上端部からシートバック２３の中央部に向けて斜め下方に延びる斜め部材３０とによりロールバー部材を構成した上記実施形態に代え、図１５に示すように、助手席シート４の設置部から運転席シート３の設置部に向けて車幅方向に延びるように設置された横部材５８と、その側端部から下方に延びるように設置されて下端部が取付ブラケット５９を介して運転席シート３の後方部（リヤフロアパネル１３）に固定された縦部材６０とにより上記ロールバー部材を構成するとともに、上記ルーフ部材１０の係止部材３３をシートバックフレーム２４の上方部材２５に設置した構造としてもよい。このように構成した場合には、助手席シート４に着座した乗員を保護するために設置された上記ロールバー部材に、運転席シート３に着座した運転者を保護する機能を兼ね備えさせることができるため、簡単な構成で運転席シート３および助手席シート４に着座した両方の乗員を、より効果的に保護することができる等の利点がある。
【００５４】
さらに、助手席シート４のシートバックフレーム２４を丸パイプ部材等により構成するとともに、その一部、つまり上記棒状部材２７を助手席シート４の上方に延びるように配設することにより、助手席シート４用のロールバー部材を構成した上記実施形態に代え、鋼板等のプレート材により上記助手席シート４のシートバックフレームを構成するとともに、その一部を助手席シート４のシートバック２３よりも上方に延びるように配設することにより上記ロールバー部材を構成するようにしてもよい。
【００５５】
また、図１６に示すように、助手席シート４の後面に近接して上下方向に延びるように設置された丸パイプ材等からなる棒状部材６１により助手席シート４用のロールバー部材を構成してもよい。このように構成した場合においても、車室１内の後方部において固定された助手席シート４の背面に上記棒状部材６１からなるロールバー部材を近接させて配設することができる。したがって、クロスバーにロールバーを突設した従来例のように、当該クロスバーの存在に起因して後部荷室のスペースが狭くなる等の問題を生じることなく、上記棒状部材６１からなるロールバー部材を設置して車両の横転時等に助手席シート４に着座した乗員を効果的に保護できるという利点がある。
【００５６】
また、上記実施形態では、車室１内のフロアパネル２上に運転席シート３および助手席シート４だけが設置されたツーシータタイプで、ルーフパネルおよびこれを支持するピラーのないオープンカーに本発明を適用した例について説明したが、これに限られず、後列シートを備えた車両についても本発明を適用可能である。
【符号の説明】
【００５７】
１  車室
２  フロアパネル
３  運転席シート
４  助手席シート
８  第１フロアバネ側部（助手席支持部）
９  シートレール
１０  ルーフ部材
２１  インストルメントパネル
２３  シートバック
２４  シートバックフレーム
２７  棒状部材（ロールバー部材）
４０  車載バッテリ（車両用部材）
４２  収納空間
５６  足元グローブボックス
【図１】
2011088503.tif 000003
【図２】
2011088503.tif 000004
【図３】
2011088503.tif 000005
【図４】
2011088503.tif 000006
【図５】
2011088503.tif 000007
【図６】
2011088503.tif 000008
【図７】
2011088503.tif 000009
【図８】
2011088503.tif 000010
【図９】
2011088503.tif 000011
【図１０】
2011088503.tif 000012
【図１１】
2011088503.tif 000013
【図１２】
2011088503.tif 000014
【図１３】
2011088503.tif 000015
【図１４】
2011088503.tif 000016
【図１５】
2011088503.tif 000017
【図１６】
2011088503.tif 000018